(57)【要約】  高エネルギの、例えば紫外線ＵＶの触媒により分解可能な発泡体40がペイロード30,116を収容して超軽量のアダプタ手段を提供し、打上げ環境で非常に軽い小型の衛星18および衛星ハードウエアを保護することを容易にしている。分解可能な発泡体40は通常の重くて複雑な構造の骨格10に代えて打上げペイロード30内に多数の衛星を含んでいる。触媒により分解される発泡体は全ての衛星のハードウエアの重量および構造を軽減する。このパッケージシステムは、複数個或いは数百の衛星が星座システムに必要である場合に特に有効であり、通信産業からＤＯＤ用までの範囲で宇宙空間に適用される全ての技術に有効である。さらに、重量およびコストの軽減に加えて、この発泡体は注入、スプレー、発泡、モールドが可能で、切断が容易であり、任意の要求される形状で製造できるので任意の形状に適用可能である利点がある。【選択図】    図１
2008509848.tif 000002
【特許請求の範囲】
【請求項１】
ビークル(20, 22)により宇宙空間へ発射するペイロード(30,116)において、
ペイロードは前記ビークル内に含まれ、高エネルギの電磁放射により分解可能な発泡体(40)により少なくとも部分的に囲まれているペイロード。
【請求項２】
前記高エネルギの電磁放射は１０-6メートルより小さい請求項１記載のペイロード。
【請求項３】
前記高エネルギの電磁放射は紫外線放射である請求項２記載のペイロード。
【請求項４】
前記分解可能な発泡体(40)は、海綿状ポリスチレン、押し出しポリスチレン、ポリエチレン、ポリプロピレン、プロピレンコポリマー、およびポリウレタンからなるグループから選択されたポリマーを含んでいる請求項１記載の空間的ペイロード。
【請求項５】
前記分解可能な発泡体(40)は、自由ラジカルイニシエータを含んでいる請求項１記載のペイロード。
【請求項６】
前記自由ラジカルイニシエータは、前記高エネルギの電磁放射にさらされたとき前記分解可能な発泡体(40)の分解を開始するのに十分な量で与えられる請求項５記載のペイロード。
【請求項７】
構造媒体は、前記分解可能な発泡体(40)内に埋設される請求項１記載のペイロード。
【請求項８】
請求項１記載のペイロードを宇宙空間へ発射するためのビークルにおいて、
前記ペイロードは、前記分解可能な発泡体(40)によって発射の力に対して前記ビークル内で保護されているビークル。
【請求項９】
宇宙空間への発射中に請求項１記載の前記ペイロードを保護する方法において、
分解可能な発泡体(40)により前記ペイロードを少なくとも部分的に囲み、
前記発泡体の分解したとき、前記ペイロードは前記高エネルギの電磁放射にさらされることによって宇宙空間で分解されるペイロードの保護方法。
【発明の詳細な説明】
【技術分野】
【０００１】
本発明は、一般的に軌道へのペイロードのブートに関し、特にペイロードを支持するための分解可能な構造的ペイロード発泡体の使用に関する。
【背景技術】
【０００２】
宇宙空間の任務およびそのハードウエア設計は種々の競合する要求によって妥協される。地球の引力から逃れるために、軌道に人工衛星ハードウエアを配置するには非常に大きな力と多大のエネルギが必要である。本質的にこれらの大きい力とエネルギはペイロードに対して減衰される。軌道に乗ると宇宙空間の真空は比較的小さい構造的機械的環境を示す。結果的に人工衛星ハードウエアは、軌道にあるときには必要のない、打上げ環境を切り抜けるためだけに必要である十分の強度で設計されなければならない。この“過剰な”設計の結果として人工衛星ハードウエアは構造的に強度が高く重いものとなる。
【０００３】
さらに、軌道打上げの数を節約して結果的にコストを削減する努力の結果、エンジニアはしばしば一時に複数個の衛星を打上げるように打上げペイロードを設計する。このために構造的な“バス”または“ツリー”が設計されて打上げ負荷で衛星を吊り下げるように設計されていた。過酷な打上げ環境のために、これらのバスは強力で重いものとなり、不時着や大気中での破壊までに非常に限定された厳しい任務を行う。また、その後の問題として、これらの通常の展開方法が宇宙の塵屑として残されるハードウエアが大量になることである。
【０００４】
現在宇宙空間用ペイロードは、上昇された温度で１０Ｈｚで連続して同期して軸方向で典型的に１０Ｇを越える打上げ環境に耐えられなければならない。ペイロード支持構造は宇宙空間の温度および化学的極限に耐えるように設計されなければならない。ペイロード支持構造は衛星または衛星バスにおける機能ハードウエアを妨害しないように設計しなければならない（ここで用語バスは軌道に衛星または衛星の部品を運ぶペイロード構造をしめすために使用されている）。結果的な大きい不十分な形状設計は宇宙空間に過大な質量の構造を残し、宇宙空間では機械的な強度の利点は価値がないか極めて少ない。さらに、そのような設計はかさばって高価であり、２つの歴史的によく知られている文献で述べられている。第１に、軌道打上げでは重量は金であり、それ故、かさばることは価格の増加となる。第２に宇宙空間部品は使用寿命が限定されており、部品がもはや使用できなくなったときそれは宇宙空間中に放置される。最近の２０年で科学者は、古い衛星の結果の人工衛星の残骸の影響を研究しており、これは新しいハードウエアを所望の軌道に配置する能力に重大な脅威となると結論している。
【発明の開示】
【発明が解決しようとする課題】
【０００５】
現在昇華する発泡体は工業的には輸送の物理的環境に対して地上のペイロードの保護のために使用される分解可能な発泡体パッケージ材料に限定されている。最近、環境についての圧力が増加して、ポリスチレンのような有機発泡体が大気中での分解のみならず、利用できる酸素分子が限定される水中および地下での分解に対しても問題とされている。このため最近では発泡体を分解および侵食するために非常に少量の光または熱しか必要としないように酸化剤によりパッケージ材料を被覆する努力が行われている。
【０００６】
したがって、打上げ期間中はペイロード、すなわち人工衛星のハードウエアを保護するが、ペイロードが宇宙空間に配置されれば廃棄されるような手段が必要とされている。
【課題を解決するための手段】
【０００７】
本発明の１特徴によれば、分解可能な発泡体が打上げ中のペイロードを保護するために使用される。宇宙空間ではペイロードを少なくとも部分的に囲んでいる分解可能な発泡体は高エネルギの電磁放射に曝されることによって分解される。
【０００８】
本発明のさらに別の特徴によれば、ビークルにより宇宙空間に打上げるためのペイロードが提供され、そのペイロードはビークル内に含まれ少なくとも部分的に分解可能な発泡体によって囲まれている。
【０００９】
本発明のさらに別の特徴によれば、宇宙空間中にペイロードを打上げるためのビークルが提供され、それにおいてペイロードは、少なくとも部分的にペイロードを囲んでいる分解可能な発泡体によって打上げのときの力に対してビークル内で保護されている。
【００１０】
本発明のさらに別の特徴によれば、宇宙空間への打上げ中ペイロードを保護するための方法が提供され、その方法は、分解可能な発泡体によりペイロードを少なくとも部分的に囲み、ペイロードが宇宙空間に位置されるとき高エネルギの電磁放射にさらされることにより発泡体が分解される。
【発明を実施するための最良の形態】
【００１１】
本発明によれば、宇宙空間に打上げられるペイロードを密閉する紫外線（ＵＶ）触媒昇華発泡体は、打上げ環境で非常に軽く、小型の衛星および宇宙空間ハードウエアの維持を容易にするために超軽量の適応可能な手段を提供する。分解可能な発泡体が伝統的な重くて複雑な構造のフレームワークの代わりに、打上げペイロード内に多数の衛星を含ませるために使用される。発泡体を分解する紫外線触媒は全ての宇宙空間ハードウエアの重量および構造を軽減する。このパッケージシステムは複数個の衛星或いは数百個の衛星が星座（コンステレーション）システムのために必要な場合に特に有効であり、通信産業からＤＯＤ応用までの範囲の宇宙空間適用できる全ての技術に有効である。重量および費用の節減に加えて、この発泡体は、注入、スプレー、成形、およびモールドが容易であり、切断が容易であり、必要な任意の形状を支持するように製造できるために任意のペイロードに適用可能な多くの利点を有している。
【００１２】
特定の環境周波数を緩和し減衰させるようにドープされた有機物発泡体は、軌道に打上げられている人工衛星ハードウエアの支援を成功させるために使用されることができる。さらに、構造媒体（たとえばガラス、金属フレーク、ファイバ、プラスティック、ゴム等）が露出される環境に対して発泡体を最適にするために分解可能な発泡体内に埋設されてもよい。
【００１３】
軌道に乗ると、ペイロードの包囲体が開かれ、この構造ペイロード発泡体が宇宙空間の高い強度のエネルギ、例えば紫外線光に露出される。この紫外線エネルギは発泡体の分解の触媒となり、それにより宇宙空間の真空に対して適応された遥かに軽いハードウエアを露出させる。発泡体は光で開始される反応の自然の傾向を加速するように設計されることができ、その反応は、宇宙空間で容易に利用可能であり、オゾンにより自然に濾波される短い波長の紫外線（＜290nm ）に対して最も激しく行われる。この自然の特性は材料が地上で安定して生成され処理されて、宇宙空間の紫外線環境に曝されるとき昇華または分解する特性を付加する。
【００１４】
ここで説明したように、発泡体は高エネルギの電磁放射、好ましくは紫外線放射により分解され、典型的にその放射は約１０００ｎｍ（１μｍすなわち１０-6ｍ）より小さく、１００ｎｍ（１０-7ｍ）より小さいことが好ましい。好ましい実施形態では、高エネルギは２９０ｎｍより小さい短い波長を含んでいる。分解は紫外線放射により行われるが、当業者はそれに限定されず、もっと高いエネルギの、Ｘ線、ガンマ線、および宇宙線がモジュールの発泡体の分解に使用可能であることを認識するであろう。
【００１５】
紫外線触媒昇華構造の発泡体を開発するために幾つかの材料が利用可能である。現在産業界では、短い鎖のポリマー（プラスティック）および長い鎖のポリマー（ゴム）、塩化ビニールおよび紫外線反応ベースのポリカーボンが使用されている。これらの材料の特有の性質、たとえば、強度、頑強さ、引き裂きに対する強さ等は原子間の化学的結合（共有結合）によって一体に保持される分子の非常に高い分子量により生じる。通常のポリエチレンフィルムは約３００，０００の分子量を有している。比較すると、２酸化炭素と水はそれぞれ４４と１８の分子量を有している。定義により、ポリエチレンのようなポリマーの劣化は各分子中のカーボンの結合の破壊から生じ、それは分子量の汚染による低下および張力、耐久性、延伸率のような機械的性質の損失を生じる。したがって、分解可能な添加物を含んでいる製品は２５万から４，０００より小さい平均までの実質的な分子量の減少を示し、材料の急速な破壊を導く。この分子破壊の効果は発熱反応であり、それ故科学を支配する質量およびエネルギの保存を維持する。適当な有機発泡体ベースの例には、海綿状またき押出されたポリスチレン、ポリエチレン、ポレプロピレン、プロピレンコポリマー、およびポリウレタンが含まれるが、それらに限定されない。
【００１６】
紫外線光、熱、酸素、およびフィルムの応力（引張りおよび引裂き等）のような多数のファクターが、劣化可能なポリエチレンパッケージの劣化を開始させる可能性がある。劣化が開始するとそれは連続する。一般に酸素し触媒の場合に必要であるが、しかしながら最近の科学者は発泡体物質中に含まれている過酸化物で大気の代わりをさせることによって大気と無関係にプロセスを加速させている。劣化により最終的にはアルコール、２酸化炭素および水（事後反応副産物）が生成される。事後反応発泡体の副産物は宇宙空間ハードウエア上に残される可能性のある有害なフィルムや残骸のないことを確実にする。
【００１７】
そのような反応の簡単な例はオゾンの生成の例により示されることができる。オゾンは優れた酸化剤であり、有機発泡体を攻撃して浸蝕する。オゾンはＯ2 とＮＯ2 の混合物が明るい光に露出されたとき形成される。
【００１８】
ＮＯ2 ＋Ｏ2 →（光）→ＮＯ＋Ｏ' ＋Ｏ2 →ＮＯ＋Ｏ2 
単一の酸素原子（Ｏ' ）は非常に反応性であるこのプロセスで中間物として形成され、掃除される分子に容易に付着する。大気の場合には容易に利用可能なＯ2 に付着してそれによりオゾンＯ3 を形成する。これは光で照射された化学反応の簡単な１例である。同様に簡単で直接的な応用は、低い周波数の波長で分解するオゾンと２酸化炭素分子の紫外線光合成反応である。この基本的な化学的法則は発泡体をアタックして破壊する解放された酸素分子が鍵である。１実施形態では、発泡体は酸化剤により埋設され、或いは短い波長（２９０ｎｍより小さい）の紫外線放射により付勢された自由ラジカルイニシエータである。紫外線エネルギが自由ラジカルの形態の酸化剤を解放すると、宇宙空間のＯ2 またはその他の掃除物質の不存在は利用可能な掃除物質分子、すなわち発泡体だけをアタックし続ける。
【００１９】
２つの化学物質とそれらの共通の化合物は紫外線光によって効率的に解放されて有機発泡体を容易に破壊できる容易に利用可能な酸化剤として適合している。それらは酸素と弗素である。結果的に得られる化合物の例、すなわち自由ラジカルイニシエータは、発泡体の分解に使用することができ、次のような物質が含まれるが、それに限定されない。  
すなわち、酸化アルミニウム、過酸化水素、３酸化硫黄、硫化弗素、酸化窒素、ベンジル・ジメチルケタル、トリメチルベンゾフェノン、αヒドロキシケトン、ベンゾフェノン、過酸化ベンゾイル、ジ・イソ・プロピルパーオキシジカーボネート、ジ・セクブチルパーオキシ・ジカーボネイト、第３ブチルバーオキシピパレート、カプリリルパーオキサイド、ラウロリルパーオキサイド、アセチルパーオキサイド、第３ブチルパーオキシイソブチレート、ｐクロロベンゾイルパーオキサイド、ヒドロキシヘプチルパーオキサイド、ジ第３ブチルジパーフタレート、第３ブチルパーアセテート、ｔブチルパーオキシイソプロピルカーボネイト、第３ブチルパーベンゾエート、ジカミルパーオキサイド、第３ブチルハイドロパーオキサイド、メチルエチルケトンパーオキサイド、ジ第３ブチルパーオキサイド、ｐメタンハイドロパーオキサイド、ピナンハイドロパーオキサイド、クメンハイドロパーオキサイド、2-5 ジメチル-2-5ジハイドロパーオキサイド、第３ブチルハイドロパーオキサイド90、アンモニウムパーサルフェート、カリウムパーサルフェート、および2,2'アゾビスイソ・ブチロニトリル、4,4'アゾビス（シクロヘキサンカーボニトリル）、4,4'アゾビス（ 4シアノバレリック酸）、2,2'アゾビス（ 2メチルプロパン）のようなアゾ化合物、ＴＲＩＧＯＮＯＸ21（Ａｋｚｏ＆Ｎｏｂｅｌから入手可能な第３ブチルパーオキシ-2- エチルヘキサノエート）、ＰＥＲＫＡＤＯＸ16［Ａｋｚｏ＆Ｎｏｂｅｌから入手可能なジ  （第３ブチルシクロヘキシル）パーオキシジカーボネイト］、およびジクミルパーオキサイド、ジオクタノイルパーオキサイド、ジミリスチルパーオキサイド、ジラウロリパーオキサイド、1,1-ジ（第３ブチルパーオキシシクロヘキサン）、第３ブチルパーオキシジエチルアセテート、クミルハイドロパーオキサイドのような有機過酸化物である。最も好ましいのは自由ラジカルイニシエータの解放を行う過酸化ベンゾイルである。
【００２０】
発泡体は、人工衛星ハードウエアの軌道への打上げの支援に成功するために特定の環境周波数を緩和し、減衰させるためにドープされる。軌道へ乗るとペイロードは開かれ、それにより発泡体は宇宙空間の強力な紫外線環境に曝される。この紫外線エネルギは発泡体の分解の触媒となり、それによって宇宙空間の真空に適合されたもっと軽いハードウエアが露出される。前述したように、ガンマ線、Ｘ線および宇宙線もまた発泡体の分解の触媒として使用できる。
【００２１】
宇宙空間へ打上げられるペイロードを収容する紫外線触媒で分解される発泡体は、打上げ環境で非常に軽量で小型の衛星および人工衛星ハードウエアの生成を容易にする。分解可能な発泡体は、伝統的な重い複雑な構造のフレームワークに代って打上げられるペイロード内に多数の衛星を含ませるために使用されることができる。紫外線触媒で分解される発泡体は、全ての人工衛星ハードウエアの重量および構造を大幅に低下させる、このパッケージシステムは、複数の、時には数百の衛星が星座システムを形成するために必要である場合に特に有効であり、それにより通信産業からＤＯＤ応用までの広い範囲にわたって宇宙空間で適用される全ての技術に対して大きな利益を与える。さらに、重量およびコストの節減に加えて、この発泡体の使用は、任意のペイロード形状に適応可能であり、注入、成形、モールド可能であり、切断が容易であり、任意の所望の形状を支持するように製造できる利点がある。
【００２２】
分解可能な発泡体は多くのその他の応用で使用することができる。例えば、宇宙開発機関はペイロードを宇宙空間に送り、それらをガススラスタにより操縦する。これらのスラスタは大きなタンク容量が必要であり、それは軌道に放出されるとき打上げ環境に対して絶縁される必要がある。発泡体は絶縁体である。現在、これらのタンクは発泡体およびコルクで絶縁されている。科学者は宇宙ステーションの構造部材として空のタンクを使用することを長い間希望してきた。しかしながら、タンクを保護するために必要な発泡体絶縁体はこれらのタンクを構造部材として安易に使用することを禁じてきた。ここに開示されたような宇宙空間ベースのコンポーネントに対する紫外線触媒昇華／分解絶縁体ペイロード媒体（発泡体）はこの問題に対する優れた解決策である。発泡体は宇宙空間で分解されて有用な構造部材を露出させることができる。
【００２３】
代わりに科学者は地球の大気中を通って戻ったきた打上げたハードウエアを（その使命の完了した後）、焼却し自己破壊することを望んでいる。現在の技術で使用されているコルクおよび発泡体熱保護システムは軌道に乗せる打上げ部品を保護するように設計されているため、地球への帰還中においてもその機能を続けており、したがってこの大気中を通って戻るときの摩擦熱で焼却される容易な廃棄方法を妨げている。その結果として過剰な残骸が宇宙空間に残される。本発明によれば、分解可能な発泡体ＴＰＳは最高点付近の地点まで軌道上の打上げコンポーネントを保護し、その最高点付近で宇宙空間の短い波長の光エネルギに露出され、そこで触媒作用によりＴＰＳが消滅してそれにより内部のハードウエアが露出され、そのため使用済みのハードウエアの安全なピッチおよびディッチ廃棄が容易になる。
【００２４】
現在の宇宙打上げペイロード構造の１例は図１に示されている。この図１では、ペイロード構造10は管状フレーム12および複数のカンチレバー（片持ち梁）支持体14を備えている。管状フレーム12は重く、複数の衛星（図２参照）の存在により横方向の負荷の支持を行っている。カンチレバー支持体14もまた重く、その理由はそれらが打上げ期間中多数の衛星の重量を支持しなければならないからである。ペイロード構造10の重量は１０，０００ポンドのオーダーである。
【００２５】
使用中のペイロード構造10は図２に示されている。図２において多数の衛星18を支持している衛星バス16が示されている。貝殻状のシュラウド20が打上げ期間中衛星バスを囲んでおり、衛星18の展開配備が希望されたとき開かれる。衛星バス16は打上げロケット22によって推進されて所望の軌道に到達し、そこで衛星が展開されて配備される。
【００２６】
本発明によるペイロード構造（バス構造）30は図３に示されている。ペイロード構造30はベース34上に支持されたマスト32を備えている。このマスト32は複数の解除機構36を備えている。
【００２７】
マスト32はフレーム12として機能するのではなく、重い部分はない。ベース34は固体、或いは重量をさらに軽減するためには図示のように穴を形成されている。解除機構36は支持位置において衛星18との通信を行うが、制御ステーション（図示せず）からの信号を受けると衛星を解放する。ペイロード構造30の重量は１，０００ポンドのオーダーであり、或いは従来技術の構造10よりも１桁軽い。
【００２８】
図４のＡ〜Ｄはバス構造30、衛星18、および構造発泡体40の組立てのシーケンスを示している。図４のＡに示されている軽量のバス構造30は、穴のない別の構造であるベース34を除いては図３に示されているものと同じである。図４のＢは、バス構造30上に取付けられており、変形された衛星バス116 を形成している複数の衛星18を示している。分解可能な構造のペイロード40は図４のＣに斜視図で示されている。組立てられた装置（バス構造30、衛星アレイ116 、および発泡体40）は図４のＤに示されている。
【００２９】
図４のＣで示されている発泡体構造40は、ベース支持体42、複数の横方向支持体44、および上部リング46を有して示されている。ベース支持体42は図４のＤに示されているように衛星の各グループ18a, 18bのベースにおいて支持を行っている。図では衛星の各グループに１つづつの２つの発泡体構造40a, 40bが使用されている。複数の横方向支持体44は内部支持体48に取付けられて横方向の支持を行っている。発泡体構造40a, 40bはペイロードを少なくとも部分的に囲み、或いはそれを収容している。さらに、軽量の展開可能な周辺ストラップまたはバンド（図を明瞭にするために図示されていない）、或いは打上げ飛翔の負荷の共有を助けるために、技術的によく知られているその他の従来使用されているような機械的な機構が分解可能な発泡体と共に使用されてもよい。
【００３０】
宇宙空間用として昇華する構造のペイロード発泡体を使用する利点は、次のとおりである。  
＊重量；現在の人工衛星および人工衛星ペイロード材料は膨張された有機発泡体の２０〜３０倍の重量である。重量は軌道にハードウエアを打上げるコストに直接比例している。現在低地球軌道（ＬＥＯ）上に人工衛星ハードウエアを配置するために必要なコストは約１００，０００ドル／ｌｂである。本発明による分解可能な発泡体ペイロードの使用は軌道打上げ当りペイロードの２００ポンドを容易に節減できると推定され、それは結果的に控え目に見ても１回の打上げ当り２０，０００，０００ドルの節減になる。
【００３１】
＊形状；既存の技術の人工衛星ペイロード構造はその寿命期間の終わりまで人工衛星上に残留するから、それらは衛星の機能部品を妨害しないように設計されなければならない。機能部品は強制的にカンチレバー構造部材から吊下げられ、その結果効率の悪い構造形状となり、それ故さらに、ペイロードの重量を増加させる。使用において本発明の分解可能な発泡体の使用では、発泡体は宇宙空間で消失し、それ故、直接機能ハードウエアを支持することが可能になり、それにより必要な材料を最適化することができる。
【００３２】
＊宇宙空間の残骸；宇宙空間の残骸は少ないほうがよいことは明らかである。紫外線触媒反応の生成物は水と２酸化炭素とアルコールである。アルミニウムや硬質のポリマーのような材料は著しく減少されるから、衛星が古くなり、もはや機能しなくなったときの宇宙空間の残骸も減少する。
【００３３】
＊ハードウエア；昇華発泡体の使用は全体として衛星を支持する構造部材の置換に限定されない。発泡体は１回の打上げで軌道に多数の衛星を運ぶために使用されるバスに適用できる。それはまた、太陽電池パネルのバックボーンのような部品レベルで使用されることができる。昇華発泡体の使用は、解決する問題の性質において単なる宇宙ベースの製品を超越したものである。
【００３４】
＊スペース・バウンド部品；打上げ環境のスペース・バウンド(space bound) 部品は幾つかの機械的な応力を受ける。部品は、宇宙空間に位置されると、本質的に機械的な応力は受けない。このため技術者は最悪の環境に対してハードウエアを設計するように努力する。本発明の分解可能な発泡体ペイロードは従来の方法の重量の制約の僅か２０分の１で打上げにおいてハードウエアのパッケージを形成することを可能にする。
【００３５】
ここでは有機物発泡体が開示されているが、その代わりに無機物発泡体が使用されてもよく、また、分解速度および発泡体組成物の強度の変更／制御／改善のために有機物材料と共にドープされて使用されてもよい。
【００３６】
［例］
引き抜き加工されたポリスチレンのブロックがチャンパ窓を有する大気制御され、光制御された保護チャンパ中に配置された。そのチャンパはアルゴンで満たされて大気雰囲気が排除された。ポリスチレンは過酸化水素、酸化アルミニウム、または３酸化硫黄のような酸化物により注入された。材料の安定性が確認された。真空度が宇宙空間をシュミレートするの程度になるまで排気された。材料の安定性が再度確認された。チャンパ窓が高い周波数の紫外線光（水銀蒸気ランプでシュミレートする短い波長の紫外線）に曝された。材料の安定性が再び確認された。チャンパの窓が低い周波数の紫外線光に曝された。発泡体の昇華が観察された。
【００３７】
上記の実験は真空に減圧して行われた。過酸化水素浴が使用された。水銀蒸気ランプが使用された。水銀光源下で材料は数秒で分解された。
【００３８】
［産業上の利用］
分解可能な発泡体の使用は打上げ期間中のペイロードを保護するための使用が期待されている。
【図面の簡単な説明】
【００３９】
【図１】従来の技術による宇宙空間に打上げられるペイロード構造の斜視図。
【図２】通常の打上げビークル中に含まれる多数の衛星を有する宇宙空間に打上げられるペイロードバスの概略図。
【図３】本発明の実施で使用される宇宙空間に打上げられたペイロード構造の１実施形態の斜視図。
【図４】本発明の実施形態によるライトバス構造（図４のＡ）と、衛星アレイ（図４のＢ）と、昇華した構造的ペイロード発泡体（図４のＣ）と、３つのコンポーネントの組合わされた構造体（図４のＤ）とを示す斜視図。
【図１】
2008509848.tif 000003
【図２】
2008509848.tif 000004
【図３】
2008509848.tif 000005
【図４】
2008509848.tif 000006
【国際調査報告】
2008509848.tif 000007
2008509848.tif 000008
2008509848.tif 000009